【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
ワイヤーラインダウンホールツール間の通信の方法であって、
アップリンクデータストリームを検査すること、
ダウンホールツールに向けられた任意のデータを前記アップリンクデータストリームから抽出すること、及び
前記抽出されたデータを、意図されたダウンホールツールに送信すること
を含む、ワイヤーラインダウンホールツール間の通信の方法。
【請求項２】
ダウンホールモジュールが、前記アップリンクデータストリームを検査し、抽出する前記ステップを実行する、請求項１に記載の方法。
【請求項３】
前記送信することは、前記意図されたダウンホールツールに対し、前記抽出されたデータを、ダウンリンクデータストリームを介して送信することをさらに含む、請求項１に記載の方法。
【請求項４】
前記ダウンホールツールに向けられたデータは、ダウンホールに送信される前に前記地表に送信される必要はない、請求項１に記載の方法。
【請求項５】
ダウンホールツールのグループに対し、ダウンホールツールに向けられた任意のデータを送信することをさらに含む、請求項１に記載の方法。
【請求項６】
すべてのダウンホールツールに対し、ダウンホールツールに向けられた任意のデータをブロードキャストすることをさらに含む、請求項１に記載の方法。
【請求項７】
前記ダウンホールツールに向けられたデータは、ダウンホール音響受信機から送信され且つダウンホール音響送信機に向けられた発射するコマンドを含む、請求項１に記載の方法。
【請求項８】
前記ダウンホール音響送信機及び前記ダウンホール音響受信機による前記コマンドの受信に続いて、前記ダウンホール音響送信機は発射を開始し、前記ダウンホール音響受信機は前記ダウンホール音響送信機の前記発射と同期してデータ取得を開始する、請求項７に記載の方法。
【請求項９】
前記ダウンホールツールに向けられたデータは、キャリパによって送信されるボアホール径情報を含む、請求項１に記載の方法。
【請求項１０】
ダウンホールモジュールは、前記アップリンクデータストリームから前記ボアホール径情報を抽出し、それをダウンリンクデータストリームにコピーする、請求項９に記載の方法。
【請求項１１】
前記ボアホール径情報は、前記地表に戻ることなく前記ダウンホールモジュールを介して音波送信機に送信される、請求項１０に記載の方法。
【請求項１２】
前記ダウンホールモジュールは、ダウンホールツールバスコントローラを備えるダウンホールテレメトリカートリッジ、ソフトウェア強化（enhanced）ツールバスインタフェース（ＳＥＢＩ）を備えるダウンホール装置、又は拡張ツールバスインタフェース（ＸＢＩ）を備えるダウンホール装置である、請求項２に記載の方法。
【請求項１３】
前記ダウンホール装置はボアホールツールである、請求項１２に記載の方法。
【請求項１４】
地表テレメトリシステムと、
ダウンホールツールバスコントローラを備えるダウンホールテレメトリカートリッジと、
複数のダウンホールツールと、
を具備するダウンホールデータ取得システムであって、
前記ダウンホールツールバスコントローラは、アップリンクＩＴＣデータを抽出し、前記抽出されたアップリンクＩＴＣデータを前記複数のダウンロードツールのうちの１つ又は複数に送信するようにプログラムされる、ダウンホールデータ取得システム。
【請求項１５】
前記ダウンホールツールバスコントローラは、前記抽出されたＩＴＣデータをダウンリンクデータストリームにコピーするようにプログラムされる、請求項１４に記載のシステム。
【請求項１６】
前記ダウンリンクデータストリームは、前記抽出されたＩＴＣデータを前記複数のダウンホールツールのうちの前記１つ又は複数に提供する、請求項１５に記載のシステム。
【請求項１７】
前記複数のダウンホールツールのうちの１つは音波受信機を含み、該複数のダウンホールツールのうちの別のものは音波送信機を含む、請求項１４に記載のシステム。
【請求項１８】
発射信号が前記音波受信機から送信され、前記ダウンホールツールバスコントローラによってアップリンクデータストリームから抽出され、前記音波送信機に送信される、請求項１７に記載のシステム。
【請求項１９】
前記発射信号はまた、前記音波受信機にも送信され、前記音波送信機の前記発射と該音波受信機の前記受信とは、前記抽出された発射信号によって同期する、請求項１８に記載のシステム。
【請求項２０】
前記複数のダウンホールツールのうちの１つはキャリパを含む、請求項１４に記載のシステム。
【請求項２１】
ボアホール径情報が前記キャリパから送信され、前記ダウンホールツールバスコントローラによってアップリンクデータストリームから抽出され、音波送信機に送信される、請求項２０に記載のシステム。
【請求項２２】
音響データを取得する方法であって、
発射信号をアップホールに送信すること、
前記発射信号がアップホールに進む際にダウンホールモジュールを用いて該発射信号を抽出すること、
前記抽出された発射信号をコピーするとともに、それをダウンホールの音響送信機に送信すること、及び
前記抽出された発射信号に従って前記音響ツールを発射させること
を含む、音響データを取得する方法。
【請求項２３】
前記抽出された発射信号を使用して、音波データの取得を前記音響ツールの前記発射と同期させることをさらに含む、請求項２２に記載の方法。
【請求項２４】
前記発射信号を送信することは、音響受信機によって行われる、請求項２２に記載の方法。
【請求項２５】
前記ダウンホールモジュールを用いてキャリパデータ信号を抽出すること、及び該キャリパデータ信号を高優先順位でダウンリンクデータストリームにコピーすることをさらに含む、請求項２２に記載の方法。
【請求項２６】
前記キャリパデータ信号は音響送信機に提供される、請求項２５に記載の方法。
【請求項２７】
ワイヤーラインダウンホールツール間で通信する方法であって、
ダウンホールモジュールを用いてアップリンクデータストリームを検査すること、
前記ダウンホールモジュールを用いてダウンホールツールに向けられた任意のデータを前記アップリンクデータストリームから抽出すること、及び
前記抽出されたデータを、１つ又は複数のダウンホールツールに送信すること
を含む、ワイヤーラインダウンホールツール間で通信する方法。
【請求項２８】
前記抽出されたデータは、後続するダウンリンク期間中にダウンリンクデータストリームに沿って前記１つ又は複数のダウンホールツールに送信される、請求項２７に記載の方法。
【請求項２９】
前記アップリンクデータストリームは、ダウンホール音響受信機から送信され且つダウンホール音響送信機に向けられた発射するコマンドを含む、請求項２７に記載の方法。
【請求項３０】
前記コマンドに基づいてダウンホール音響送信機の発射とダウンホール音響受信機のデータ取得とを同期させることをさらに含む、請求項２９に記載の方法。
【請求項３１】
前記ダウンホールツールに向けられたデータは、キャリパによって送信されるボアホール径情報を含む、請求項２７に記載の方法。
【請求項３２】
前記ダウンホールツールに向けられたデータは、流体試料の取得を達成するために送信される情報を含む、請求項２７に記載の方法。
【請求項３３】
前記ダウンホールツールに向けられたデータは、ツール又はツールストリングの移動を達成するために送信されるボアホール径情報を含む、請求項２７に記載の方法。
【請求項３４】
前記ダウンホールモジュールは、前記アップリンクデータストリームから前記ボアホール径情報を抽出し、それをダウンリンクデータストリームにコピーする、請求項３３に記載の方法。
【請求項３５】
ダウンホールツール間で通信する方法であって、
第１のダウンホールツールからの信号をダウンホールモジュールに送信すること、及び
前記第１のダウンホールツールからの前記信号が地表テレメトリモジュールに達する前に、該信号を第２のダウンホールツールに中継すること
を含み、
前記中継することは前記信号を抽出し、前記抽出された信号を前記ダウンホールモジュールによって送信することを含む、ダウンホールツール間で通信する方法。
【請求項３６】
ダウンホールツール間で通信する方法であって、
第１のダウンホールツールから信号を送信すること、
前記信号が地表テレメトリモジュールに達する前にダウンホールモジュールにおいて前記信号をインタセプトすること、及び
前記インタセプトされた信号を少なくとも１つのダウンホールツールに送信すること
を含む、ダウンホールツール間で通信する方法。
【請求項３７】
前記信号は、前記ダウンホールモジュールにより前記少なくとも１つのダウンホールツールに中継される、請求項３６に記載の方法。
【請求項３８】
前記ダウンホールモジュールは、ダウンホールツールバスコントローラを備えるダウンホールテレメトリカートリッジ、ソフトウェア強化ツールバスインタフェース（ＳＥＢＩ）を備えるダウンホール装置、又は拡張ツールバスインタフェース（ＸＢＩ）を備えるダウンホール装置である、請求項３７に記載の方法。
【請求項３９】
地表テレメトリモジュールと、ダウンホールモジュールと、該地表モジュールと該ダウンホールモジュールとの間の多重化データリンクであって、データが該ダウンホールモジュールから前記地表モジュールに転送されるアップリンクと、データが該地表モジュールから前記ダウンホールモジュールに転送されるダウンリンクとの間でデータを交互に転送することができる多重化データリンクと、を具備するボアホールテレメトリシステムであって、前記アップリンクデータは、前記ダウンホールモジュールによって検査され且つ選択的に抽出されることが可能であり、前記ダウンリンクへ送信されることが可能である、ボアホールテレメトリシステム。
【請求項４０】
前記ダウンホールモジュールは、ダウンホールツールに向けられた任意のアップリンクデータを抽出することができる、請求項３９に記載のシステム。
【請求項４１】
前記ダウンホールモジュールは、抽出された任意のアップリンクデータを格納し且つ前記アップリンクから前記ダウンリンクにコピーすることができる、請求項３９に記載のシステム。
【請求項４２】
前記ダウンホールモジュールによって前記アップリンクから抽出される任意のデータは、後続するダウンリンク期間において前記ダウンリンクにコピーされ、意図されたダウンホールツールによって受信される、請求項４１に記載のシステム。
【請求項４３】
前記ダウンホールモジュールによって前記アップリンクから抽出される任意のデータは、前記後続するダウンリンク期間において前記ダウンリンクにコピーされ、ダウンホールツールのグループ又はすべてのダウンホールツールにブロードキャストされる、請求項４２に記載のシステム。
【請求項４４】
前記データリンクはワイヤーラインケーブルである、請求項３９に記載のシステム。
【請求項４５】
前記ワイヤーラインケーブルは複数のダウンホールツール間に広がる、請求項４４に記載のシステム。
【請求項４６】
前記複数のダウンホールツールは、音響受信機、音響送信機、キャリパ及び試料採取装置のうちの２つ以上を含む、請求項４５に記載のシステム。
【請求項４７】
前記ダウンホールモジュールは、ダウンホールツールバスコントローラを備えるダウンホールテレメトリカートリッジ、ソフトウェア強化ツールバスインタフェース（ＳＥＢＩ）を備えるダウンホール装置、又は拡張ツールバスインタフェース（ＸＢＩ）を備えるダウンホール装置である、請求項３９に記載のシステム。
【請求項４８】
前記ダウンリンクデータストリームは、テレメトリモジュールからデータを送る、請求項３に記載のシステム。